(57)【特許請求の範囲】
【請求項１】
開閉可能に揺動連結されるとともに遊技機の周囲を囲む一対の枠体のうち、一方の枠体の開閉端側に前記一対の枠体の連結軸と略平行とされた軸で揺動可能に配置された第１の不正防止プレートと、
前記一対の枠体の閉鎖状態において、前記一対の枠体の開閉端側の隙間から挿入されて所定方向に向かう不正材の侵入を阻止すべく第１の不正防止プレートと緊密可能であり、他方の枠体の開閉端側に形成された受け面と、
前記一対の枠体の閉鎖状態における前記一方の枠体に対向して前記他方の枠体に形成された当接面と、 
前記第１の不正防止プレートを、前記緊密方向に揺動させる緊密手段と、を有する不正防止構造であって、
前記第１の不正防止プレートは、前記一対の枠体の閉鎖動作に伴って前記受け面に緊密する方向に揺動すると共に、前記一対の枠体の開放動作に伴って前記受け面から離間する方向に揺動し、
前記緊密手段は、前記第１の不正防止プレートと連動可能に形成された連動部であり、
前記一対の枠体の閉鎖動作に伴って前記連動部が前記当接面に押し込まれることによって前記第１の不正防止プレートが前記緊密方向に揺動して前記受け面に緊密し、
前記閉鎖状態において、前記連動部が、前記所定の方向とは異なる方向に向かう前記不正材の侵入を阻止する第２の不正防止プレートとしての機能も発揮する、不正防止構造。
【請求項２】
前記第１の不正防止プレートを、前記離間方向に揺動させる離間手段をさらに有する請求項１に記載の不正防止構造。
【発明の詳細な説明】
【技術分野】
【０００１】
本発明は、不正防止構造に係り、特に遊技機内部への不正材の侵入を防ぎつつ、機枠等の枠体の開閉に支障を来すことない不正防止構造に関する。
【背景技術】
【０００２】
遊技機として代表的なパチンコ機等の弾球遊技機では、弾球された遊技媒体（以下、球という。）が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待して、遊技を楽しむことができる。
【０００３】
このような遊技機は、機器全体が複数の枠（以下、枠体という。）によって周囲を囲まれるように構成されており、球の円滑な流下、遊技者による遊技盤への不正アクセス防止、遊技機ホールへの設置性の向上、メンテナンス性の向上等様々な機能を実現している。
【０００４】
具体的には、木材、樹脂、金属等で形成された筐体枠が、遊技機全体の主に上下面及び左右側面を囲んで、遊技機の一部としての枠体を構成している。そして、その筐体枠の前面、すなわち遊技者側には機枠が筐体枠に対して開閉可能に配置され、この機枠が遊技盤を保持している。この機枠も遊技機の一部としての枠体を構成するものである。機枠の背面側には遊技盤面上に配置された可動部材を制御したり、遊技状態（例えば、「大当り状態」・「通常状態」・「確率変動状態」「時短状態」。）を制御したりするための制御機器や球の払出しを行う払出装置等が配置されている。
【０００５】
このように、遊技機の制御機器等は筐体枠や機枠に囲まれて保護されているのであるが、遊技者の中には筐体枠と機枠との隙間から、セルロイドやピアノ線等の不正材を侵入させて、これらの制御機器等に対して不正な操作を行おうとする者もいる。このような操作により、不正に「当り」を誘発させたり、払出装置を強制的に作動させたりすることで景品球が不正に獲得されれば、遊技機ホールは大きな損害を被ることとなるため、遊技機における不正材の侵入防止は重要な課題となっている。
【０００６】
そこで、このように枠体と枠体との間から不正材を侵入させて行われる不正操作を防止するための構造が、例えば特許文献１に開示されている。特許文献１に記載の遊技機は、キャビネットボックスとその前面を覆う前面扉を有している。そして、キャビネットの前面開口縁部に、前面扉に向けた突出辺が形成され、前面扉の閉鎖時にその突出辺が前面扉に収容されるようになっている。つまり、キャビネットと前面扉とが重なりを有して閉鎖されることで、不正材の侵入を困難にしている。キャビネットと前面扉との隙間から不正材を侵入させようとしても、突出辺に突き当たってしまい、その侵入が阻まれるのである。
【０００７】
【特許文献１】特開２００５−１９８９４９号公報
【発明の開示】
【発明が解決しようとする課題】
【０００８】
特許文献１に記載の遊技機の構造において、より確実に不正材の侵入を防止しようとすれば、突出辺の突出量をより大きなものにしなければならない。しかし、突出辺の突出量を大きくすると、開閉時に前面扉が描く軌跡が突出辺と干渉し、前面扉を円滑に開閉することができなくなってしまう。
【０００９】
この場合、閉鎖時における突出辺と前扉との間に干渉を回避するための空間を設けなければならない。すると、突出辺によって侵入を阻まれた不正材が、その空間を通って遊技機内部に侵入することが可能となってしまう。つまり、不正材の侵入を防止するためには、突出辺と前扉との緊密性も重要となっている。
【００１０】
したがって、特許文献１に記載の遊技機の構造では、不正材の侵入防止と枠体の開閉動作の円滑化という異なる目的を両立することができない。なお、突出辺を前扉側に形成し、キャビネットに収容されるように構成したとしても同様の問題が生じる。
【００１１】
本発明は上記の事情に鑑みて為されたもので、枠体と枠体との間から不正材が侵入するのを好適に防ぎつつ、枠体の開閉も円滑に行うことができる不正防止構造、遊技機を提供することを例示的課題とする。
【課題を解決するための手段】
【００１２】
上記の課題を解決するために、本発明の例示的側面としての不正防止構造は、開閉可能に揺動連結されるとともに遊技機の周囲を囲む一対の枠体のうち、一方の枠体の開閉端側に一対の枠体の連結軸と略平行とされた軸で揺動可能に配置された第１の不正防止プレートと、一対の枠体の閉鎖状態において、その一対の枠体の開閉端側の隙間から挿入されて所定方向に向かう不正材の侵入を阻止すべく第１の不正防止プレートと緊密可能であり、他方の枠体の開閉端側に形成された受け面とを有して構成され、第１の不正防止プレートは、一対の枠体の閉鎖動作に伴って受け面に緊密する方向に揺動し、一対の枠体の開放動作に伴って受け面から離間する方向に揺動する。
【００１３】
一方の枠体に配置された第１の不正防止プレートが、他方の枠体に形成された受け面と閉鎖状態において緊密するので、枠体の開閉端側の隙間から不正材が侵入することを好適に防止することができる。また、一対の枠体の開放動作に伴って第１の不正防止プレートが受け面から離間する方向に揺動するので、第１の不正防止プレートが開放時に受け面と干渉することがない。したがって、第１の不正防止プレートと受け面とを隙間なく緊密させて、より強固に不正材の侵入を防止することができる。また、第１の不正防止プレートを大きく形成して不正材の侵入防止効果を高めても、枠体のスムーズな開放動作を阻害しない。
【００１４】
不正防止プレートは、枠体の開閉端側の上下幅全域にわたって受け面と緊密するように構成されるのが望ましく、これにより強固な不正防止構造とすることができる。ここで、不正材とは、遊技機内部の機器等に不正な操作を行うために枠体と枠体との隙間から遊技者等によって挿入されるものであって、例えばピアノ線やセル板等を挙げることができる。
【００１５】
第１の不正防止プレートを、緊密方向に揺動させる緊密手段をさらに有して構成してもよい。緊密手段によって第１の不正防止プレートが緊密方向に揺動するので、より強固に不正材の侵入を防止することができる。緊密手段としては、枠体の閉鎖動作を検出してモータによって第１の不正防止プレートを電気的に揺動させるものであったり、枠体の閉鎖動作に連動して第１の不正防止プレートを揺動させるギア部材等であったりしてもよい。
【００１６】
一対の枠体の閉鎖状態における一方の枠体に対向して他方の枠体に形成された当接面をさらに有し、緊密手段が、第１の不正防止プレートと連動可能に形成された、連動部であって、閉鎖動作に伴って連動部が当接面に押し込まれることによって第１の不正防止プレートが緊密方向に揺動し、受け面に緊密するように構成してもよい。
【００１７】
閉鎖動作に伴って連動部が当接面に押し込まれることによって、第１の不正防止プレートが受け面に緊密するようになるので、閉鎖時に確実に第１の不正防止プレートと受け面とを緊密させることができる。また、第１の不正防止プレートに連動部を形成する簡単な構造で効果的に不正材の侵入を防止することができる。
【００１８】
閉鎖状態において、連動部が、所定の方向とは異なる方向に向かう不正材の侵入を阻止する第２の不正防止プレートとしての機能も発揮してもよい。連動部が第２の不正防止プレートとしての機能を発揮するので、第１の不正防止プレートと第２の不正防止プレートとにより、不正材の侵入をより一層困難にすることができる。第１の不正防止プレートに侵入が阻まれた不正材が、所定方向と異なる方向に向かった場合にも、第２の不正防止プレートによって侵入を阻止することができる。
【００１９】
第１の不正防止プレートを、離間方向に揺動させる離間手段をさらに有していてもよい。第１の不正防止プレートが離間手段によって受け面から離間するので、枠体の開放時に第１の不正防止プレートと受け面とが干渉することがない。
【００２０】
本発明の更なる目的又はその他の特徴は、以下添付図面を参照して説明される好ましい実施の形態によって明らかにされるであろう。
【発明の効果】
【００２１】
本発明によれば、遊技機の周囲を囲む枠体に不正防止プレートを設けることで、枠体の隙間から挿入される不正材の侵入を好適に防止しつつ、その不正防止プレートが枠体の開閉動作に支障を来すことのないようにすることができる。
【００２２】
また、枠体と枠体と間に隙間が生じても、そこから挿入された不正材の侵入を好適に防止できるので、枠体の隙間が十分小さくなるように寸法管理を高精度で行わなくともよく、結果として部品コストの抑制に寄与することができる。
【発明を実施するための最良の形態】
【００２３】
［実施の形態１］
以下、本発明の実施の形態１について図面を用いて説明する。図１は、本発明の実施の形態１に係る不正防止構造を有する遊技機としてのパチンコ機２の正面図である。このパチンコ機２は、筐体枠（枠体）４、遊技盤（遊技装置体）６、機枠（枠体）８、前面ガラス（前面透明板）１０、装飾枠（前面枠）１２、貯留皿１４、球発射ユニット（図示せず。を有している。なお、パチンコ機２は、組合せ式パチンコ機、封入循環式パチンコ機、雀球機等を含む。
【００２４】
筐体枠４は、このパチンコ機２を囲むための枠体であり、平面視略長方形に構成されている。本実施の形態１においては、金属材料としてのアルミを用いているが、他にも鉄等を用いることもできる。また、金属材料以外にも木材や樹脂を用いることもできる。筐体枠４は、パチンコ機２の上下面及び左右側面を囲い、前面（すなわち、遊技者側。）から見て左側面側には機枠８及び装飾枠１２を揺動支持するための連結軸２２が設けられている。
【００２５】
筐体枠４は、後述する機枠８と開閉可能に揺動連結されて、筐体枠４と機枠８とで一対の枠体を構成している。筐体枠４は、パチンコ機２内部の各種機器類を保護するとともに、それら機器類への不正アクセスを防止する機能を有する。
【００２６】
図２は、機枠８を開放した状態を示すパチンコ機２の外観斜視図である。筐体枠４の左右方向における連結軸２２の反対側（以下、開閉端側という。）には、当接面４ａ、受け面４ｂが形成されている（図３（ａ）も参照。）。当接面４ａは、筐体枠４の内側の上下幅全幅にわたる高さを有して、筐体枠４の前面側（遊技者側）開口縁と略面一になるように形成された面であり、筐体枠４の開閉端側側面を覆う側板４ｃの前方が略直角に折り曲げられて形成されている。受け面４ｂは、当接面４ａの端部４ｄから後面側に向けて略直角に延びるように形成された面であり、当接面４ａの後面側に配置された断面コ字状のレール部材５によって形成されている。レール部材５は筐体枠４の構造を補強する補強材としての機能も有する。受け面４ｂも当接面４ａと同様に、筐体枠４の内側の上下幅略全幅にわたる高さを有している。本実施の形態１においては、当接面４ａと受け面４ｂとは別々の部材によって構成されているが、一体的に形成されていてももちろん構わない。当接面４ａと受け面４ｂは、筐体枠４と機枠８との隙間から挿入された不正材の進入を阻止する不正防止構造としての機能を有するが、詳細は後述する。
【００２７】
遊技盤６は、このパチンコ機２において、遊技媒体としての球２０の流下による遊技を実現するための遊技装置体であり、パチンコ機２に内包されている。遊技盤６の遊技盤面６ａには、略円形状に周囲を囲むようにレール飾り２６が取り付けられ、このレール飾り２６の内側面２６ａが遊技盤面６ａに対して立設して遊技領域６ｂを画定している。その遊技領域６ｂ内の略中央部には、図柄表示装置７が設けられている。そしてその図柄表示装置７の周囲に多数のゲージ（図示せず。）、普通入賞口２８、始動入賞口２９、大入賞口３０、アウト口３２、その他の各種役物（例えば、羽根車等。）が配置されている。
【００２８】
図示しない球発射装置により球２０が遊技領域６ｂ内の上部に向けて発射されると、球２０がゲージに衝突してその流下方向を変えつつ遊技領域６ｂ内を流下するようになっている。その流下の途中で、あるものは普通入賞口２８に入賞して一定数の景品球払出しの契機となり、あるものはいずれの入賞口にも入賞せずにアウト口３２からパチンコ機２の外部へと排出される。
【００２９】
なお、本実施の形態１において、遊技機としてパチンコ機２を例示し、遊技装置体として遊技盤６を例示して説明している。しかしながら、遊技機がパチスロ機である場合は、回胴体が遊技媒体としてのコインを用いた遊技を実現する遊技装置体に相当する。
【００３０】
図柄表示装置７は、例えば液晶表示装置・有機ＥＬディスプレイ・ＬＥＤ等により構成されて遊技盤６の略中央に遊技者側から視認可能に設けられ、その表示画面（映像表示面）７ａ上に映像表示を行うものである。遊技中においては、この表示画面７ａ上に例えば、３桁の数字又は文字等により構成される表示図柄が、遊技演出として変動表示（図柄変動演出）されるようになっている。
【００３１】
この図柄表示装置７を利用して、パチンコ機２内部で行われる抽選によって図柄変動演出が行われ、その結果としての停止態様が所定態様（例えば、「７・７・７」。）となった場合に遊技者に利益を付与する「当り」遊技が構成される。
【００３２】
機枠８は、パチンコ機２を囲むとともに、遊技盤６を保持するための枠体であり、その中央近傍に遊技盤６を取り付けるための取付け開口が形成されている。取付け開口の周囲に遊技盤６を着脱可能に取り付けるための取付け部を有し、機枠８は遊技盤６の周囲を囲むように構成されている。さらに遊技盤６の後面には、球２０の払出しを行う球払出装置、入賞球の排出処理を行う球排出装置、パチンコ機２の各種制御を行う制御基板等を収容する機構盤も配置されているが、その詳細及び図示は省略する。
【００３３】
機枠８の開閉端側後縁８ａには、切欠８ｂが形成されている。切欠８ｂは、機枠８の内側の上下幅略全幅にわたって形成され、後述する第２プレート１６ｂの先端部１６ｄを収容することができるようになっている。機枠８の開閉端側の内側面には突出部８ｃが形成されている。突出部８ｃは後述する圧縮バネ（バネ部材）１８の一端を固定するためのものである。
【００３４】
機枠８は、筐体枠４の前面側に配置されて連結軸２２において筐体枠４に揺動支持され、筐体枠４に対して前面開閉可能とされており、筐体枠４と機枠８とで一対の枠体を構成している。
【００３５】
機枠８は、その開閉端側に不正防止構造として機能するガイドプレート１６と圧縮バネ（バネ部材）１８とを有して構成されている。
【００３６】
ガイドプレート１６は、第１プレート（第１の不正防止プレート）１６ａと第２プレート（第２の不正防止プレート）１６ｂとが断面略Ｌ字形状を呈するように連結構成されている。そして、連結軸２２と略平行なプレート軸１９において機枠８に揺動支持され、そのプレート軸１９の位置は第１プレート１６ａと第２プレート１６ｂとの連結部となっている。また、第１プレート１６ａ及び第２プレート１６ｂは、当接面４ａ及び受け面４ｂと同様に、機枠８の内側の上下幅略全幅にわたる高さで形成されている。
【００３７】
第１プレート１６ａは、プレート軸１９から放射方向に真っすぐ延びるように形成されている。第２プレート１６ｂは第１プレート１６ａに連結構成されることで、第１プレート１６ａと連動可能な連動部としての機能を発揮する。第２プレート１６ｂは、基端部１６ｃと先端部１６ｄとを有し、それらが非直角のクランク形状様を呈するように連結構成されている。なお、基端部１６ｃと先端部１６ｄとが直角のクランク形状様を呈するように連結構成されていてもよいが、本実施の形態１のように非直角のクランク形状様（つまり、鈍角連結）とすることで、当接面４ａによる第２プレート１６ｂの押し込み（ガイドプレート１６の揺動動作。図３（ｂ）も参照。）が円滑に行われるようになる。
【００３８】
圧縮バネ１８は、一端が突出部８ｃに固定され、他端が第２プレート１６ｂに固定されている。圧縮バネ１８は、第２プレート１６ｂを矢印Ｘが示す方向に付勢する。
【００３９】
本実施の形態１では、「一対の枠体」を機枠８と筐体枠４で構成し、機枠８が第１の不正防止プレートとしての第１プレート１６ａを有する「一方の枠体」として、筐体枠４が「他方の枠体」として機能する。これとは逆に筐体枠４側に第１プレート１６ａを配置して、筐体枠４を「一方の枠体」、機枠８を「他方の枠体」として構成してももちろん構わない。
【００４０】
前面ガラス１０は、遊技盤６に対して一定距離以上離間して配置された透明板である。前面ガラス１０は透明平板ガラスで形成されて装飾枠１２に保持され、遊技盤６との間に球２０が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００４１】
前面透明板としてはガラス素材の前面ガラス１０の他に、もちろん透明アクリル等の樹脂材料が使用されてもよい。また、本実施の形態１においては、前面ガラス１０が装飾枠１２に保持されるが、前面ガラス１０が遊技盤６の前面に取り付けられて、遊技盤６とともに機枠８に保持されるように構成されていてもよい。
【００４２】
装飾枠１２は、パチンコ機２を囲む枠体であり、機枠８のさらに前方に連結軸２２によって前方開閉可能に揺動支持されて前面ガラス１０を保持する機能を有する。装飾枠１２は、保持された前面ガラス１０を通して、その後方に配置される遊技盤６が視認可能となるように窓部１２ａが形成されている。窓部１２ａの上方には、パチンコ機２を装飾し、遊技を演出するための装飾部材１２ｂが配置されている。
【００４３】
貯留皿１４は、パチンコ機２の前面側であって前面ガラス１０の下方に配置されて球２０を貯留する。貯留皿１４は、発射ユニットに導くための球２０を貯留する上皿１４ａとさらにその下方に配置されて上皿１４ａから排出された球２０を受け取る下皿１４ｂとで構成されている。なお、上皿１４ａと下皿１４ｂとが別体に構成されていてもよいし、下皿１４ｂがなく上皿１４ａのみで貯留皿１４が構成されていてもよい。
【００４４】
上皿１４ａは、景品球としてパチンコ機２から払い出された球２０を受け取る機能や、その球２０を球供給装置（図示せず。）を介して発射ユニットに導くべく貯留する機能を有している。遊技終了時には、遊技者が球排出ボタン１４ｃを操作することにより、球２０を上皿１４ａから下皿１４ｂへと排出することができるようになっている。
【００４５】
発射ユニットは、球供給装置によって上皿１４ａから発射位置に送り出された球２０を遊技領域６ｂの上部に向けて発射（弾球）するためのものである。球発射装置は、例えば発射位置の球２０を弾球する発射杆、その発射杆を駆動する発射モータ、発射杆を付勢して弾球のための力を発生させる発射バネ等を有してユニット構成され、機枠８に取り付けられている。
【００４６】
その発射ユニットによる球発射のため、遊技者の操作に基づいて球発射のオンオフ及びその発射強度調整を実現する発射ハンドル３４がパチンコ機２の前面下方に設けられている。
【００４７】
次に、筐体枠４に対する機枠８の開放・閉鎖動作時のガイドプレート１６の動作について図面を用いて説明する。
【００４８】
図３（ａ）に示すように、筐体枠４と機枠８との開放状態において第２プレート１６ｂの先端部１６ｄは、圧縮バネ１８により矢印Ｘの示す方向に付勢されることで、機枠８の開閉端側後縁８ａよりも後側に突出するようになっている。
【００４９】
図３（ｂ）に示すように、機枠８の筐体枠４に対する閉鎖動作に伴い、機枠８の開閉端側後縁８ａが筐体枠４の開閉端側前縁４ｅに当接する前に、第２プレート１６ｂの先端部１６ｄが当接面４ａに当接する。そして、機枠８の閉鎖動作に伴って、当接面４ａに第２プレート１６ｂが押し込まれてガイドプレート１６全体が圧縮バネ１８の付勢力に抗して矢印Ｙで示す方向に揺動する。ガイドプレート１６の揺動によって第１プレート１６ａが受け面４ｂに緊密する方向に揺動する。つまり、第２プレート１６ｂが、当接面４ａに押し込まれて第１プレート１６ａを受け面４ｂに緊密させる緊密手段としての機能を発揮する。図３（ｃ）に示すように、機枠８が完全に閉鎖されると、第２プレート１６ｂの基端部１６ｃが当接面４ａによって押し込まれ、第１プレート１６ａが受け面４ｂと緊密するようになっている。つまり、第２プレート１６ｂが当接面４ａに押し込まれたことに連動して第１プレート１６ａが受け面４ｂに緊密するのである。
【００５０】
また、第２プレート１６ｂは筐体枠４の閉鎖状態において、当接面４ａと対向する位置に配置されるとともにその先端部１６ｄが切欠８ｂと緊密するようになっている。
【００５１】
一方、機枠８の筐体枠４に対する開放動作時には、上述した閉鎖動作時とは逆に、圧縮バネ１８の付勢力により第１プレートは受け面４ｂから離間する方向に揺動する。したがって、第１プレート１６ａのプレート軸から先端までの長さを大きくしても、機枠８の開放動作に伴って第１プレート１６ａが受け面４ｂから離間するので、第１プレート１６ａが受け面４ｂと干渉せず、機枠８の開放動作時に邪魔になることがない（第１プレート１６ａが離間しない場合に、その先端が描く軌跡２４も参照。）。第１プレート１６ａの長さを大きくすれば、受け面４ｂとの緊密面積も大きくなり、不正材の侵入がより困難となる。
【００５２】
また、筐体枠４と機枠８との閉鎖状態において、開閉端側前縁４ｅと開閉端側後縁８ａとの隙間から挿入された不正材はパチンコ機２内部方向（所定方向）に向かって直進しても第１プレート１６ａに侵入を阻まれるし、侵入を阻まれた不正材が第２プレート１６ｂ方向（所定方向とは異なる方向。）に進路を変えても、第２プレート１６ｂにその侵入が阻まれる。さらに、隙間から挿入された不正材がすぐに第２プレート１６ｂ方向に進もうとしても、第２プレート１６ｂの先端部１６ｄと切欠８ｂと緊密しており、その侵入が阻まれる。ガイドプレート１６、当接面４ａ、受け面４ｂ、切欠８ｂによって、機枠８の上下幅略全幅にわたって、開閉端側からの不正材の侵入を防止することができるのである。
【００５３】
開閉端側前縁４ｅと開閉端側後縁８ａとの間に隙間ができた場合であっても、この不正防止構造によりパチンコ機２内部に不正材を侵入させることが困難となるので、開閉端側前縁４ｅと開閉端側後縁８ａとの寸法管理が容易となる。したがって、パチンコ機２の製造コストの抑制にも寄与することができる。
【００５４】
本実施の形態１では、一対の枠体を筐体枠４と機枠８とで構成して説明したが、これに限定されず、パチンコ機２において、開閉可能に連結された枠体であればよく、機枠８と装飾枠１２とで一対の枠体を構成してもよい。また、遊技機としてパチンコ機２を例に挙げたが、他にもパチスロ機、スロットマシン、各種ゲーム機やアーケードマシン等を概念することができ、要するに開閉可能に揺動連結された一対の枠体を有するあらゆる遊技機に本発明を適用することができる。
【００５５】
また、本実施の形態１では、緊密手段を圧縮バネによって構成しているが、これに限られず、機枠の開閉に連動してガイドプレートが離間・緊密方向に揺動するようにギア等を用いて機械的に緊密手段を構成してもよいし、機枠の開閉を検知して、モータ等によりガイドプレートが揺動するようにして電気的に緊密手段を構成してもよい。
【００５６】
［実施の形態２］
本発明の実施の形態２に係る不正防止構造について図面を用いて説明する。本実施の形態２に係る不正防止構造は、実施の形態１と同様に、筐体枠５４、当接面５４ａ、受け面５４ｂ、機枠５８、ガイドプレート６６、圧縮バネ６８を有して構成されており、その開閉端側を上方から見た断面図を図４（ａ）に示す。筐体枠５４、当接面５４ａ、受け面５４ｂは実施の形態１と略同様の機能・構成となっており、筐体枠５４と機枠５８とで開閉可能に揺動連結された一対の枠体を構成している。
【００５７】
機枠５８は実施の形態１と同様に、切欠５８ｂが形成されるとともにその開閉端側にガイドプレート６６が揺動可能に配置されている。
【００５８】
ガイドプレート６６も、実施の形態１と同様に機枠５８の開閉端側に揺動可能に軸支され、第１プレート（第１の不正防止プレート）６６ａと、連動部としての第２プレート（第２の不正防止プレート）６６ｂとを有して構成されている。第１プレート６６ａと第２プレート６６ｂとは、断面Ｌ字形状を呈するように連結構成されている。
【００５９】
第１プレート６６ａの末端には折り返し部６６ｅが形成されている。筐体枠５４と機枠５８との閉鎖状態において、第１プレート６６ａと受け面５４ｂとが緊密したところに不正材が無理やり入り込んできても、折り返し部６６ｅにその侵入が阻まれるようになっている（図４（ｃ）も参照。）。
【００６０】
第２プレート６６ｂは、基端部６６ｃと先端部６６ｄとを有し、それらが非直角のクランク形状様を呈するように連結構成されている。そして先端部６６ｄの末端にはローラ６６ｆが、ガイドプレート６６の揺動軸と平行な軸を中心に回転可能に設けられている。
【００６１】
次に筐体枠５４に対する機枠５８の開放・閉鎖動作時のガイドプレート６６の動作について図面を用いて説明する。
【００６２】
図４（ａ）に示すように、筐体枠５４と機枠５８との開放状態において第２プレート６６ｂの先端部６６ｄは、矢印Ｚが示す方向に付勢されることで、機枠５８の開閉端側後端５８ａよりも後側に突出するようになっている。
【００６３】
図４（ｂ）に示すように、機枠５８の筐体枠５４に対する閉鎖動作に伴い、機枠５８の開閉端側後縁５８ａが筐体枠５４の開閉端側前縁５４ｃに当接する前に、ローラ６６ｆが当接面５４ａに当接する。そして、機枠５８の閉鎖動作に伴って、当接面５４ａに第２プレートが押し込まれてガイドプレート６６全体が圧縮バネ６８の付勢力に抗して矢印Ｐで示す方向に揺動する。ガイドプレート６６の揺動によって第１プレート６６ａが受け面５４ｂに緊密する方向に揺動する。つまり、第２プレート６６ｂが、当接面５４ａに押し込まれて第１プレート６６ａを受け面５４ｂに緊密させる緊密手段としての機能を発揮する。なお、第２プレート６６ｂが当接面５４ａに押し込まれる際に、ローラ６６ｆが当接面上をスライド移動することになるが、ローラ６６ｆが回転可能とされているので、円滑にスライド移動することができる。本実施の形態２では、先端部６６ｄの末端にローラ６６ｆを設けているが、先端部６６ｄの末端を所定の曲率となるように形成して、先端部６６ｄの末端が当接面５４ａ上を円滑にスライド移動するようにしてもよい。
【００６４】
図４（ｃ）に示すように、機枠５８が完全に閉鎖されると、第２プレート６６ｂの基端部６６ｃが当接面５４ａに押し込まれ、第１プレート６６ａが受け面５４ｂと緊密するようになっている。つまり、第２プレート６６ｂが当接面５４ａに押し込まれたことに連動して第１プレート６６ａが受け面５４ｂに緊密するのである。また、万が一受け面５４ｂと第１プレート６６ａとの間まで不正材が侵入しても、さらなる侵入を折り返し部６６ｅが阻止するので、この不正防止構造によれば、パチンコ機内部への不正材の侵入がより困難となっている。
【００６５】
第２プレート６６ｂは筐体枠５４の閉鎖状態において、当接面５４ａと対向する位置に配置されるとともにその先端部６６ｄが切欠５８ｂと緊密するようになっている。
【００６６】
一方、機枠５８の筐体枠５４に対する開放動作時には、上述した閉鎖動作時とは逆に、圧縮バネ６８の付勢力により第１プレート６６ａは受け面５４ｂから離間する方向に揺動する。したがって、第１プレート６６ａに折り返し部６６ｅを形成しても、受け面５４ｂ等に干渉することなく機枠５８の開閉に支障がでない。
【００６７】
［実施の形態３］
本発明の実施の形態３に係る不正防止構造について図面を用いて説明する。本実施の形態３に係る不正防止構造は、実施の形態１と同様に、開閉可能に揺動連結された一対の枠体としての筐体枠１０４及び機枠１０８を有して構成されており、図５（ａ）にその開閉端側を上方から見た断面図を示す。
【００６８】
筐体枠１０４の機能・構成は実施の形態１で説明したものと略同様であるが、その上下幅略全幅にわたるガイド溝が形成されている。ガイド溝は筐体枠１０４の開閉端側の内側から突出形成された突出片が前面側に折り曲げられて形成されており、溝幅が前面側に向かって広がるように形成されている。ガイド溝の左右側面のうち、筐体枠１０４の中央側の側面は後述するガイドプレート１１６を緊密方向に揺動するための当接面１０４ａとしての機能を発揮する。一方、ガイド溝の左右側面のうち筐体枠１０４の側方側の側面は緊密方向に揺動されたガイドプレート１１６と緊密する受け面１０４ｂとしての機能を有する。
【００６９】
機枠１０８は実施の形態１と同様に遊技盤（図示せず。）を保持する機能等を有している。機枠１０８の内側であって開閉端側には、ガイドプレート（第１の不正防止プレート）１１６が揺動可能に配置されている。
【００７０】
ガイドプレート１１６は、薄板形状の部材であり、機枠１０８の内側の上下幅略全幅にわたる高さを有して形成されている。ガイドプレート１１６は、その一端で機枠１０８に対して揺動可能に軸支されており、ねじりバネ（図示せず。）により矢印Ｑに示す方向に付勢されている。
【００７１】
次に筐体枠１０４に対する機枠１０８の開放・閉鎖動作時のガイドプレート１１６の動作について図面を用いて説明する。
【００７２】
図５（ａ）に示すように、筐体枠１０４と機枠１０８との開放状態においてガイドプレート１１６はねじりバネの付勢力により、機枠１０８の内側面の延長線１０８ｂよりもやや内側に向けて揺動した位置にある。
【００７３】
図５（ｂ）に示すように、機枠１０８の筐体枠１０４に対する閉鎖動作に伴い、機枠１０８の開閉端側後縁１０８ａが筐体枠１０４の開閉端側前縁１０４ｃに当接する前に、ガイドプレート１１６の先端が当接面１０４ａに当接する。そして、機枠１０８の閉鎖動作に伴って、当接面１０４ａに案内されてガイドプレート１１６がねじりバネの付勢力に抗して矢印Ｒで示す方向（緊密方向）に揺動する。
【００７４】
図５（ｃ）に示すように、機枠１０８が完全に閉鎖されると、ガイドプレート１１６が受け面１０４ｂと緊密するようになっている。したがって、開閉端側前縁１０４ｃと開閉端側後縁１０８ａとの隙間から不正材を挿入しても、その侵入がガイドプレート１１６によって阻止される。
【００７５】
一方、機枠１０８の筐体枠１０４に対する開放動作時には、上述した閉鎖動作時とは逆に、ねじりバネの付勢力によりガイドプレート１１６は受け面１０４ｂから離間する方向に揺動する。したがって、ガイドプレート１１６の揺動軸から先端までの長さを大きく形成しても、機枠１０８の開閉動作時にガイドプレート１１６が筐体枠１０４と干渉することがなく、機枠１０８の開閉動作に支障をきたすことがない。ガイドプレート１１６の揺動軸から先端までの長さを大きくすれば、それだけ不正材の侵入が困難となる。
【００７６】
以上、本発明の好ましい実施の形態を説明したが、本発明はこれらに限定されるものではなく、その要旨の範囲内で様々な変形や変更が可能である。
【図面の簡単な説明】
【００７７】
【図１】本発明の実施の形態１に係るパチンコ機の外観斜視図である。
【図２】図１に示すパチンコ機が有する機枠を開放した状態を示す外観斜視図である。
【図３】図１に示すパチンコ機が有する機枠の開閉動作に伴うガイドプレートの動作を説明するための断面図であって、（ａ）第２プレートが当接面に当接する前の状態、（ｂ）第２プレートが当接面に当接した状態、（ｃ）第１プレートが受け面に緊密した状態を示す図である。
【図４】本発明の実施の形態２に係る不正防止構造を上方から見た断面図であって、（ａ）第２プレートが当接面に当接する前の状態、（ｂ）第２プレートが当接面に当接した状態、（ｃ）第１プレートが受け面に緊密した状態を示す図である。
【図５】本発明の実施の形態３に係る不正防止構造を上方から見た断面図であって、（ａ）ガイドプレートが当接面に当接する前の状態、（ｂ）ガイドプレートが当接面に当接した状態、（ｃ）ガイドプレートが受け面に緊密した状態を示す図である。
【符号の説明】
【００７８】
Ｐ，Ｑ，Ｒ，Ｘ，Ｙ，Ｚ：矢印
２：パチンコ機（遊技機）
４：筐体枠（枠体）
４ａ：当接面
４ｂ：受け面
４ｃ：側板
４ｄ：端部
４ｅ；開閉端側前縁
５：レール部材
６：遊技盤（遊技装置体）
６ａ：遊技盤面
６ｂ：遊技領域
７：図柄表示装置
７ａ：表示画面（映像表示面）
８：機枠（枠体）
８ａ：開閉端側後縁
８ｂ：切欠
８ｃ：突出部
１０：前面ガラス（前面透明板）
１２：装飾枠（前面枠）
１２ａ：窓部
１２ｂ：装飾部材
１４：貯留皿
１４ａ：上皿
１４ｂ：下皿
１４ｃ：球排出ボタン
１６：ガイドプレート
１６ａ：第１プレート（第１の不正防止プレート）
１６ｂ：第２プレート（緊密手段）（連動部）（第２の不正防止プレート）
１６ｃ：基端部
１６ｄ：先端部
１８：圧縮バネ（バネ部材）（離間手段）
１９：プレート軸
２０：球
２２：連結軸
２４：軌跡
２６：レール飾り
２６ａ：内側面
２８：普通入賞口
２９：始動入賞口
３０：大入賞口
３２：アウト口
３４：発射ハンドル
５４：筐体枠（枠体）
５４ａ：当接面
５４ｂ：受け面
５４ｃ：開閉端側前縁
５８：機枠（枠体）
５８ａ：開閉端側後縁
５８ｂ：切欠
６６：ガイドプレート
６６ａ：第１プレート（第１の不正防止プレート）
６６ｂ：第２プレート（緊密手段）（連動部）（第２の不正防止プレート）
６６ｃ：基端部
６６ｄ：先端部
６６ｅ：折り返し部
６６ｆ：ローラ
６８：圧縮バネ（バネ部材）（離間手段）
１０４：筐体枠（枠体）
１０４ａ：当接面
１０４ｂ：受け面
１０４ｃ：開閉端側前縁
１０８：機枠（枠体）
１０８ａ：開閉端側後縁
１０８ｂ：延長線
１１６：ガイドプレート（第１の不正防止プレート）
【図１】
0004915742.tif 000002
【図２】
0004915742.tif 000003
【図３】
0004915742.tif 000004
【図４】
0004915742.tif 000005
【図５】
0004915742.tif 000006